(57)【要約】【課題】横長の外形とした冷蔵庫における冷却貯蔵空間を使い勝手のよい配置で区分するとともに、特に冷凍貯蔵空間のレイアウト構成を考慮し、一般家庭におけるキッチンに設置した場合でも意匠効果を高く保持して有効な使い方ができる冷蔵庫を提供する。【解決手段】高さ寸法より幅寸法の方を大きくして横長の外形とした断熱箱体の内部を上下に区分するとともにその下方の区画を左右に仕切ってそのいずれか一方に断熱区分された冷凍貯蔵空間９を形成し、前記冷凍貯蔵空間の前面開口部を閉塞する扉９ａの裏面に保持され貯蔵室内の側壁に形成したレール部材10によって引き出し可能に下段容器９ｂを設けるとともに、この下段容器の上部に上段容器９ｃを配置してなり、前記上段容器は貯蔵室内に形成した支持レール部材28によって前記下段容器とは独立して引き出し可能に保持したことを特徴とする。【選択図】  図２
2009156498.tif 000002
【特許請求の範囲】
【請求項１】
高さ寸法より幅寸法の方を大きくして横長の外形とした断熱箱体の内部を上下に区分するとともにその下方の区画を左右に仕切ってそのいずれか一方に断熱区分された冷凍貯蔵空間を形成し、前記冷凍貯蔵空間の前面開口部を閉塞する扉の裏面に保持され貯蔵室内の側壁に形成したレール部材によって引き出し可能に下段容器を設けるとともに、この下段容器の上部に上段容器を配置してなり、前記上段容器は貯蔵室内に形成した支持レール部材によって前記下段容器とは独立して引き出し可能に保持したことを特徴とする冷蔵庫。
【請求項２】
上段容器は、冷凍貯蔵空間の天井面に上面支持部を取り付けた仕切り部材によって支持するとともに、前記仕切り部材と前記冷凍貯蔵空間の一側壁との間に貯氷容器を引き出し可能に設置したことを特徴とする請求項１記載の冷蔵庫。
【請求項３】
冷凍貯蔵空間の天井面に幅方向に間隔を設けて上面支持部を取り付けた仕切り部材によって上段容器の両側を支持するとともに、一方の仕切り部材と冷凍貯蔵空間の一側壁との間を下段容器の上面開口の上部と連通する開放空間にしたことを特徴とする請求項１または２記載の冷蔵庫。
【請求項４】
仕切り部材と冷凍貯蔵空間の一側壁との間の開放空間の幅寸法は８０ｍｍ以上に設定したことを特徴とする請求項３記載の冷蔵庫。
【請求項５】
冷凍貯蔵空間の天井面に幅方向に間隔を設けて上面支持部を取り付けた仕切り部材によって上段容器の両側を支持するとともに、一方の仕切り部材と冷凍貯蔵空間の一側壁との間に第２の上段容器を引き出し可能に設置したことを特徴とする請求項１または２記載の冷蔵庫。
【請求項６】
上段容器は、冷凍貯蔵空間の天井面に上面支持部を取り付けた仕切り部材と前記冷凍貯蔵空間の一側壁との間に引き出し可能に設置したことを特徴とする請求項１記載の冷蔵庫。
【請求項７】
仕切り部材の上面支持部は、冷凍貯蔵空間の天井裏面における断熱材側にあらかじめ配置され断熱材の発泡充填により固着される補強板の係合部に取り付けるようにしたことを特徴とする請求項２、５または６のいずれかに記載の冷蔵庫。
【発明の詳細な説明】
【技術分野】
【０００１】
本発明は、高さ寸法より幅寸法の方を大きくして横長の外形とした家庭のキッチンなどに好適に設置される冷蔵庫に関する。
【背景技術】
【０００２】
従来、高さ寸法より幅寸法の方を大きくして横長の外形とした冷蔵庫（51）は、図１１およびその分解図である図１２に示されているように、業務用として製造されることが多く、製造性やメンテナンス性を重視する結果、圧縮機（62）などを設置した機械室（61）と冷却器（67）を収納した冷却器室（66）とを集中して配置させ、これを冷蔵貯蔵室を形成する断熱箱（51）と区分して設ける構成（例えば、特許文献１参照）であり、本体内を冷蔵貯蔵庫（56）として用い、本体の上面を形成する天板（53）をカウンターテーブルとして、主に飲食店における厨房などで使用されることが多かった。
【０００３】
一方、家庭用の冷蔵庫は、近年の大型化により貯蔵品目に沿った多種の貯蔵室とともに多くの扉を設けて使い勝手を良好にした構成が市場に出ているが、これらの形態は、一般に縦方向に長い縦型である。また、これに対して、特許文献２には、家庭におけるキッチンに設置し、各扉を引き出し式とした横方向に長い冷蔵庫が示されている。
【特許文献１】特開２００５−９７９８号公報
【特許文献２】特開２００７−２９２３７６号公報
【発明の開示】
【発明が解決しようとする課題】
【０００４】
しかしながら、上記特許文献１記載の冷蔵庫構成では、冷気を生成するため低温となる冷却器室（66）と高温となる圧縮機（62）や凝縮器（65）を収納している機械室（61）とを近接させて配置しており、熱漏洩防止のために断熱壁厚を厚くすることから外形サイズが大きくなり、その分内部の貯蔵空間スペースが減少して容積効率が低くなる欠点があった。また、機械室（61）部分が冷蔵庫本体（51）の側方前面に位置しており、その前面には点検のための前面パネル（75）を設けているが、放熱用の開口（75ａ）などが存在するため、圧縮機（62）や放熱ファン（64）の運転音が前面に抜け出ることになり、その防音対策でコストが高くなるほか、家庭用としては外観意匠の問題があった。
【０００５】
特許文献２にはキッチンに設置するための引き出し式扉を備えた横型冷蔵庫が示されているが、貯蔵室内部構成までは言及されておらず、これまでこれらの横型冷蔵庫が一般家庭用として用いられることはほとんどなかった。
【０００６】
本発明は上記の事情を考慮してなされたものであり、横長の外形とした冷蔵庫における冷却貯蔵空間を使い勝手のよい配置で区分するとともに、特に冷凍貯蔵空間のレイアウト構成を考慮し、一般家庭におけるキッチンに設置した場合でも意匠効果を高く保持して有効な使い方ができる冷蔵庫を提供することを目的とする。
【課題を解決するための手段】
【０００７】
上記課題を解決するために本発明の冷蔵庫は、高さ寸法より幅寸法の方を大きくして横長の外形とした断熱箱体の内部を上下に区分するとともにその下方の区画を左右に仕切ってそのいずれか一方に断熱区分された冷凍貯蔵空間を形成し、前記冷凍貯蔵空間の前面開口部を閉塞する扉の裏面に保持され貯蔵室内の側壁に形成したレール部材によって引き出し可能に下段容器を設けるとともに、この下段容器の上部に上段容器を配置してなり、前記上段容器は貯蔵室内に形成した支持レール部材によって前記下段容器とは独立して引き出し可能に保持したことを特徴とするものである。
【発明の効果】
【０００８】
本発明によれば、横長の外形としてシステムキッチンに合致した良好な外観意匠にした冷蔵庫における冷却貯蔵空間、特に、冷凍貯蔵空間の容器の配置効率を向上して限られた空間を有効に区画するとともに使い勝手のよい構成とすることができる。
【発明を実施するための最良の形態】
【０００９】
以下、図面に基づき本発明の１実施形態の冷蔵庫について説明する。外観正面図である図１に示すように、冷蔵庫本体（１）は、高さ寸法を８００ｍｍ程度とし、これより幅寸法を１８００ｍｍ程度として大きくして、通常の家庭用冷蔵庫の縦長形状に対して横長の外形としている。
【００１０】
この冷蔵庫本体（１）の外形高さ寸法は、一般家庭のキッチンにおける流し台の高さに合わせており、奥行き寸法は５２０ｍｍ程度にし、キッチンにおいてその上面をカウンターテーブルとして使用できるようにした形態に基づくものであり、システムキッチンに組み込むような場合は、他のキッチン用品に合わせた色彩にするとともに上面や側壁部を木製カバー体で覆うようにしても使用できるものである。
【００１１】
前記図１から扉を除去した貯蔵室部分を断熱壁の状態と合わせて示す図２から理解されるように、冷蔵庫の各貯蔵室の形態は、断熱箱体（２）の内部を断熱仕切壁（４）を含む横仕切壁（３）で上下に区分するとともに、幅方向についてもそれぞれの区画に合致させて断熱した縦仕切壁（５）で左右に区分し、４つの独立した貯蔵室を形成している。
【００１２】
前記断熱箱体（２）内を上下に区分する横仕切壁（３）の上方の区画は、その全幅に亙って冷蔵貯蔵空間とし、一方、本実施例では左側を、室内を０〜５℃の温度環境にした野菜室Ａ（６）とし、比較的低温での貯蔵に適した大根やほうれん草、キャベツやごぼう、タマネギなどを収納するようにしている。そして、他方の区画、すなわち右側は、前記野菜室Ａ（６）より幅広にしてやや低温の雰囲気にした冷蔵室（７）を配置している。
【００１３】
下方の区画についても前記縦仕切壁（５）で左右に区分されており、左側を冷蔵貯蔵空間として前記野菜室Ａ（６）より室内設定温度を７〜８℃と高くし、さつまいもやカボチャ、ピーマンやメロンなどの貯蔵に適した野菜室Ｂ（８）とし、上方の区画と同様に野菜室Ｂ（８）より幅広に形成した他方の右側には、前記断熱された縦仕切壁（５）と、天井面を形成する前記横仕切壁（３）を断熱仕切壁（４）とすることで全周壁に亙って断熱壁で覆われた、製氷とともに冷凍食品の保存やホームフリージングをおこなう冷凍貯蔵空間（９）を形成している。
【００１４】
前記各貯蔵室の前面にはそれぞれ独立した扉（６ａ）（７ａ）（８ａ）（９ａ）を配設しており、前記各扉に固着した支持枠に容器（６ｂ）（７ｂ）（８ｂ）（９ｂ）を保持し、室内壁面に設けたスライドレール（10）などのレール部材で前記それぞれの支持枠および容器を前後に摺動させ、開扉動作とともに室外に引き出して各容器の上面開口から食品を取り出し収納する周知の引出し扉方式としている。
【００１５】
前記下方の区画に配した野菜室Ｂ（８）の背部の断熱壁外には、該当部分の横断面図である図３に示すように、幅方向に亙って貯蔵室内側に凹陥する機械室（11）を形成し、冷凍サイクルにおける高温部材である冷媒の圧縮機（12）や補助凝縮器（13）および、これらに外気を送風して放熱を助長する放熱ファン（14）などの放熱機器を配設しており、前記補助凝縮器（13）とともに圧縮機（12）からの高温高圧の吐出冷媒を受け入れて放熱し凝縮する主凝縮器（15）は、前記野菜室Ｂ（８）に対応する断熱壁の下面に配設している。
【００１６】
また、前記冷凍貯蔵空間（９）部分の縦断面図である図４に示すように、前記冷蔵室（７）から冷凍貯蔵空間（９）に亙る背面には、冷却器（17）や冷却ファン（18）を収納した冷却器室（16）を配置し、冷却器（17）で生成した冷気を上方に配置した冷却ファン（18）により各貯蔵空間に送風し、野菜室Ａ（６）、同Ｂ（８）、冷蔵室（７）および冷凍貯蔵空間（９）をそれぞれの設定温度に冷却制御するように構成している。
【００１７】
前記野菜室Ａ（６）およびＢ（８）は、各容器（６ｂ）（８ｂ）の背面部に冷気を流下させて間接的に冷却することで各容器（６ｂ）（８ｂ）内を高湿度の雰囲気に保持して冷却しており、前記冷蔵室（７）や野菜室Ａ（６）、Ｂ（８）および冷凍貯蔵空間（９）内を循環した冷気は、リターンダクトを介して冷却器（17）に戻るようにしている。
【００１８】
前記冷却器室（16）の下方に対応する縦仕切壁（５）近傍の断熱壁外には、前記野菜室Ｂ（８）の背部に設けた機械室（11）に連通状態としたより空間スペースの小さい小機械室（19）を冷凍貯蔵空間（９）内側に凹陥させて併設しており、この小機械室（17）には、庫内の冷却器（17）と庫外の圧縮機（12）や凝縮器（15）とを連結する冷凍サイクル配管の接続部を設けるとともに、除霜時に庫外に導かれた冷却器（17）からの除霜水を受けてこれを蒸発させる蒸発皿などを配設している。
【００１９】
そして、設置された前記放熱ファン（14）の駆動により、前記野菜室Ｂ（８）の下部前面に幅広に形成した吸気口から外気を吸い込み、後方へ送風して底面の凝縮器（15）から背部の補助凝縮器（13）および圧縮機（12）を冷却し、さらに小機械室（19）に流入させて蒸発皿部を経由し、背面および底面の端部に穿設した排気口から外方に排出させる放熱風路を形成している。
【００２０】
しかして、前記冷凍貯蔵空間（９）は、概略上下２段に区分されており、前記引出し式の扉（９ａ）に固着した支持枠および室内のほぼ中央高さ部分に前後に亙って取り付けた前記スライドレール（10）により前後摺動自在に保持された容器（９ｂ）は、下段のほぼ全幅に亙って設けられている。
【００２１】
図５に示すように、スライドレール（10）は、冷凍貯蔵空間（９）を形成する内箱両側壁の内面に室内の奥行き方向に亙るように固着された鍔部を設けた固定レール（21）と、下段の容器（９ｂ）を支持する支持枠（20）の外側に支え金具（22）を介して固定した可動レール（23）と、これら内外のレール（21）（23）の間に設けられた中間レール（24）とから構成されており、これらのレール（21）（24）（23）の各鍔部間に嵌挿したボールベアリングにより実質的に一体化されるとともに前後摺動自在に保持されている。
【００２２】
よって、固定レール（21）内を摺動する中間レール（24）およびこの中間レール（24）内を摺動することで、可動レール（23）は２段階で引き出されることになり、扉（９ａ）とともに引き出された状態の可動レール（23）に支持枠（20）を介して保持された容器（９ｂ）は、従来のシングルレール方式に比し、各レール（21）（24）（23）間の保持機構によってその後端が冷凍貯蔵空間（９）の前面開口部までフルオープン状態で大きく引き出されるものである。
【００２３】
なお、前記スライドレール（10）機構は、前記野菜室Ａ（６）、同Ｂ（８）や冷蔵室（８）の引出し扉（６ａ）（８ａ）（７ａ）におけるレール部材の構成として使用されている。
【００２４】
この下段の容器（９ｂ）の上部には上段容器（９ｃ）を配置しており、該当部の断面図である図６、および要部の斜視図である図７に示すように、この上段容器（９ｃ）は、冷凍貯蔵空間（９）の天井面を形成するＦ天井版（26）に幅方向に間隔を設けて上面支持部（27ａ）を取り付け、下方を自由端とした２つの仕切り部材（27）（27）によりその両側が保持されている。仕切り部材（27）（27）の内側面には、前述した下段容器（９ｂ）のスライドレール（10）とほぼ同機構のスライドレール（28）（28）を設けており、スライドレール（28）機構によって支持された上段容器（９ｃ）は、扉（９ａ）とともに引き出される前記下段容器（９ｂ）とは別に、独立して引き出し可能な構成としている。
【００２５】
したがって、上段容器（９ｃ）は、前記扉（９ａ）の開扉には連動せず、引き出す場合は、前記扉（９ａ）を引き出した後に、扉（９ａ）の裏面近傍に位置する前壁の一部に形成した把手を把持して独自にフルオープン状態まで引き出すことができ、また作業後は室内に押し込むことになる。
【００２６】
分解斜視図である図７に示すように、前記仕切り部材（27）の上面支持部（27ａ）は、冷凍貯蔵空間（９）の天井面の断熱材側にあらかじめ配置された補強板（29）に取り付けられる。前記補強板（29）は、冷凍貯蔵空間（９）の天井面を形成するＦ天井板（26）の裏面に配設され、上部の冷蔵室（７）の底面との間の断熱仕切壁（４）内に注入発泡されるポリウレタンなどの発泡性断熱材の充填固化により断熱材中に埋設し固着されるものであって、この補強板（29）に形成した係合部（29ａ）に、上面支持部（27ａ）の室内の奥方向に向けて開放口を形成したフック部（27ｂ）を手前側から押し込み嵌合させて位置決めの上仮止めし、さらに上面支持部（27ａ）の各隅部をネジ（30）止めすることで、各仕切り部材（27）（27）は断熱材との一体化で剛性が増加したＦ天井板（26）を介して強固に取り付けることができる。
【００２７】
その際、前記仕切り部材（27）はその下端部を固定しないので、下方に位置する下段容器（９ｂ）への形状面での制約を与えることがなく、上段容器（９ｃ）を確実に、且つ摺動可能に保持することができる。なお、前記フック部（27ｂ）は上面支持部（27ａ）の奥方のみでなく、前面側にも採用してもよい。
【００２８】
下段の容器（９ｂ）の上方における前記縦仕切壁（５）とこれに対向する前記仕切り部材（27）との間の空間は、前記図４に示すように、製氷室（31）として自動製氷装置（32）を設置し、自動製氷装置（32）の製氷皿に対応する下方には離氷した氷粒を貯留する貯氷容器（33）が配置されている。なお、前記自動製氷装置（32）への製氷水の給水は、前記野菜室Ａ（６）における前記容器（６ｂ）の外側のスライドレール（10）下方と縦仕切壁（５）との間隙に設置された給水タンク（34）から縦仕切壁（５）および断熱仕切壁（４）を通過して導かれており、野菜室Ａ（６）の収納スペースへの影響を少なくしている。
【００２９】
貯氷容器（33）の容器部分は、前記下段の容器（９ｂ）内に位置するとともに、その両側縁部は上方に延出させて外方へ折曲する支持片を形成し、前記縦仕切壁（５）に形成した突条ビードと前記仕切り部材（27）との対向面に設けた突条リブなどより形成した支持レール（35）（35）によって前後に摺動自在に設置されている。
【００３０】
また、他方の仕切り部材（27）の外壁面と冷凍貯蔵空間（９）の他側壁との間を下段容器（９ｂ）の上面開口の上部と連通する開放空間（36）にしている。この結果、下段の容器（９ｂ）の上方には、前記のごとく幅方向に区分された３つの貯蔵領域が形成されるものであり、特に、上段容器（９ｃ）の右側の前記開放空間（36）は、その断面を図８に示すように、下段の容器（９ｂ）を底面として冷凍貯蔵空間（９）の全高に亙る高さ寸法を確保することができ、前記上段容器（９ｃ）に緩衝したり、上段容器（９ｃ）を取り外すことなく下段の容器（９ｂ）内に背の高い食品を効果的に収納することができる。
【００３１】
このとき、開放空間（36）の幅寸法を８０ｍｍ以上に設定することにより、例えば、幅・奥行き寸法が７０ｍｍの使用済の容量１Ｌの牛乳パック（37）に水を入れ、製氷用として立てて収納することで手軽にブロック氷を作ることができ、凍結による膨張があっても容易に取り出して使用することができるものである。
【００３２】
上記実施例の構成によれば、下方区分における比較的室内温度を高く設定した野菜室Ｂ（８）の背部に圧縮機（12）などの高温を発する部材を収納した機械室（11）を配設しており、両者の温度差は比較的小さくなって断熱壁厚を薄くすることができるので、その分野菜室Ｂ（８）の容積を大きくすることが可能となる。
【００３３】
同様に、前記野菜室Ｂ（８）の外底面に対応して板状の主凝縮器（15）を配設することで、冷凍温度に冷却される冷凍貯蔵空間（９）の底面には高温部材を配置しないようにしたので、冷凍貯蔵空間（９）は主凝縮器（15）の温度影響を受けることがなく、断熱性能を向上して消費電力量の低減をはかることができる。
【００３４】
また、前記冷凍貯蔵空間（９）の背面に対応する冷却器室（16）の部位には冷凍貯蔵空間（９）との温度差が小さい冷却器（17）を配置しているので、両者間の断熱壁厚は薄くできるとともに、冷却器室（16）の背部には高温部材を配した機械室（11）が存在しないので熱漏洩量も少なくなり、消費電力量を低減できるばかりでなく、断熱壁厚を必要以上に厚くすることを防止でき、その分冷凍貯蔵空間（９）の容積を大きくして冷蔵庫全体としての容積効率を増大できる効果がある。
【００３５】
そしてまた、野菜室Ｂ（８）との温度差の少ない機械室（11）側に高温となる大形部品の圧縮機（12）や補助凝縮器（13）を集中的に配置し、隣接する冷凍貯蔵空間（９）背部の小機械室（19）には高温部材を配置せず配管や蒸発皿を設置して機械室（11）（19）を区分配設したので、小機械室（19）の容積を調整して限りなく小さくすることができ、その分冷凍貯蔵空間（９）側の容積効率を向上させることができる。
【００３６】
なお、前記機械室（11）には、体積の大きな圧縮機（12）とともに軸方向が本体の幅方向となるためファン径が奥行き方向となって寸法が大きくなる放熱ファン（14）を設置したので、冷凍貯蔵空間（９）側の容積効率を向上させるのみならず、圧縮機（12）および放熱ファン（14）の駆動音が本体前方に抜け出て来ることがないため、騒音についても大きく低減できる効果がある。
【００３７】
そして、前述のように、上段容器（９ｃ）は、扉（９ａ）に連動して引き出される下段の容器（９ｂ）とは、独立して引き出し可能な構成であることから、扉（９ａ）および下段の容器（９ｂ）とを支えているスライドレール（10）には、その分荷重負担が掛からないものであり、その分レール構造を簡略化できる。
【００３８】
また、例えば、下部の容器（９ｂ）内には、比較的大形状で多用する冷凍食品を収納すれば、扉（９ａ）の開扉に連動して容器（９ｂ）が引き出されるので、頻繁な開閉扉でも使い勝手よく食品を取り出し、また収納することができるものであり、これに対して、上段容器（９ｃ）には、比較的長期に亙るストック貯蔵を目的にした冷凍食品を収納するようにすれば、扉（９ａ）の開閉に連動せずに室内での収納状態を保持するので、必要なときに任意に引き出せばよく、扉（９ａ）の開扉の都度引き出されることによる外部空気温度の影響を抑制でき、ストック食品を好適に冷凍保存することができるものであって、上記により、それぞれ食品の形状や大きさ、使用頻度や用途、扉開閉に連動するか否かによる使い勝手に合わせた効果的な使い方ができる。
【００３９】
また、貯氷容器（33）については、前記下段の容器（９ｂ）のみでなく上段容器（９ｃ）の引き出し動作に対しても独立しているので、氷の取り出し時以外は使用することが少ない貯氷容器（33）を不必要に出し入れすることがなく、特に、夏期などの外気温度が高い時期に引き出され、氷粒の表面が融けた後に閉扉により再び凍結することで、氷同士がくっついて繋がる連結氷となることを抑制でき、また、上段容器（９ｃ）を引き出す都度、容器が移動することによる氷同士、あるいは氷と容器との接触による干渉音を防ぐことができ、冷蔵庫機能としての品位を損ねることがない。
【００４０】
さらに、従来より採用されてきたように、製氷室を冷凍貯蔵空間（９）とは別の他の貯蔵室部位に独立して設けるものに対しても、製氷室専用の扉やシール、断熱仕切壁構造が不要となるため、コストアップのみでなく、貯蔵スペースの減少も防止することができ、外観面においても冷蔵庫形態に対応した高品位なデザインを採用することができるなどの効果を奏する。
【００４１】
なお、前記実施例においては、上段容器（９ｃ）の右側は開放空間として、下段の容器（９ｂ）内に背の高い食品を収納することができる構成としたが、これに限らず、他の実施例として図９に示すように、上段容器（９ｃ）の右側の仕切り部材（27）と冷凍貯蔵空間（９）の右側壁との間に前記同様のスライドレール（28´）（28´）を設けてこれに第２の上段容器（38）を支持させるようにしてもよい。
【００４２】
上記構成とすれば、製氷用の牛乳パック（37）などの設置に代えてアイスクリームや保冷材などの小容量の冷凍収納品の貯蔵場所として活用できるものであり、必要に応じて、前記第２の上段容器（38）を着脱することにより、背の高い食品の貯蔵もおこなえるようにしてもよい。なお、第２の上段容器（38）の支持機構としては、前記のスライドレール（28´）ではなく、より簡易な突出ビードなどのレール構成でもよい。
【００４３】
また、前記各実施例は、上段容器（９ｃ）の一方に製氷室（31）を配置した構成としたが、製氷室（31）を冷凍貯蔵空間（９）とは別の貯蔵室、例えば、冷蔵室（６）の部位に独立して設けるようにしてもよい。この形態においては、前記と同一部分に同一符号を附した図１０に示すように、前記冷凍貯蔵空間（９）の縦仕切壁（５）とＦ天井板（26）に取り付けた単一の前記仕切り部材（27）との間に、上段容器（９ｃ´）を引き出し可能に設置し、前記仕切り部材（27）の外方と前記冷凍貯蔵空間（９）の他側壁との間に前記と同様の容量１Ｌの牛乳パック（37）が設置できる程度の開放空間（36´）を形成することで上段容器（９ｃ´）を幅広く使用するとともに、開放空間（36´）を活用して背の高い収納物を貯蔵する。
【００４４】
そしてまた、前記各実施例で記載した冷蔵室（７）や野菜室Ａ（６）同Ｂ（８）は他の温度仕様の貯蔵室でも良いことは言うまでもなく、上段容器（９ｃ）（９ｃ´）に対する製氷室（31）や、開放空間あるいは第２の上段容器（38）のレイアウトについても、これに限らず、その左右の位置を逆にしてもよいものであり、レール機構についてもスライドレール（10）に限定するものではなく、突出ビードなどで容器を前後方向に亙って摺動可能に保持する構成でもよい。
【図面の簡単な説明】
【００４５】
【図１】本発明の１実施形態を示す冷蔵庫の正面図である。
【図２】図１から扉を除去した貯蔵室内を示す正面図である。
【図３】図１の下方の区画を示す横断面図である。
【図４】図２の冷凍貯蔵空間の製氷室部分の縦断面図である。
【図５】図２のスライドレール構成を示す斜視図である。
【図６】図２の冷凍貯蔵空間の上段容器部分の縦断面図である。
【図７】図６の上段容器の仕切り部材構成を示す斜視図である。
【図８】図２の冷凍貯蔵空間の開放空間部分の縦断面図である。
【図９】本発明の他の実施例を示す冷凍貯蔵空間の正面図である。
【図１０】本発明のさらに他の実施例を示す冷凍貯蔵空間の正面図である。
【図１１】従来の横形冷蔵庫を示す外観図である。
【図１２】図１１の分解斜視図である。
【符号の説明】
【００４６】
１  冷蔵庫本体            ３  横仕切壁              ４  断熱仕切壁
５  縦仕切壁              ６  野菜室Ａ              ７  冷蔵室
８  野菜室Ｂ              ９  冷凍貯蔵空間
６ａ、７ａ，８ａ，９ａ  扉        ６ｂ、７ｂ，８ｂ、９ｂ  容器
９ｃ、９ｃ´  上段容器            10、28、28´  スライドレール
26  Ｆ天井板              27  仕切り部材            27ａ  上面支持部
27ｂ  フック部            29  補強板                29ａ  係合部
30  ネジ                  31  製氷室                32  自動製氷装置
33  貯氷容器              35  支持レール            36、36´  開放空間
37  牛乳パック            38  第２の上段容器
【図１】
2009156498.tif 000003
【図２】
2009156498.tif 000004
【図３】
2009156498.tif 000005
【図４】
2009156498.tif 000006
【図５】
2009156498.tif 000007
【図６】
2009156498.tif 000008
【図７】
2009156498.tif 000009
【図８】
2009156498.tif 000010
【図９】
2009156498.tif 000011
【図１０】
2009156498.tif 000012
【図１１】
2009156498.tif 000013
【図１２】
2009156498.tif 000014